【事件の表示】
　平成　４年特許願第３０９７３０号「有価価値記憶媒体」拒絶査定不服審判事件〔平成　６年　５月１７日出願公開、特開平　６−１３４１２９〕について、次のとおり審決する。
【結　論】
　本件審判の請求は、成り立たない。
【理　由】
１．手続の経緯、本願発明の要旨
　本願は、平成４年１０月２６日の出願であって、その発明の要旨は、平成１８年９月６日付の手続補正書により補正された明細書及び図面の記載からみて、その特許請求の範囲の請求項１及び２に記載された「有価価値記憶媒体」にあると認められるところ、その請求項１に記載された発明（以下、「本願発明」という。）は次のとおりのものである。
　「遊技店に設置された遊技機で使用可能な遊技媒体への変換が可能な有価価値を記憶保持する有価価値記憶媒体において、
　上記有価価値記憶媒体は、有価価値及び使用履歴に関する情報を記憶する機能と、１次電池を電源に用いて経時的情報を供給するタイマ・カレンダ手段と、を含む記憶制御部と、上記記憶制御部に記憶保持された情報を可視表示する機能を含む表示制御部と、を備え、
　上記表示制御部は、上記記憶制御部に記憶保持された情報を可視表示するための表示手段と、上記表示手段に可視表示する情報を切り換える人為的操作を行うための表示内容切換操作手段と、表示用電源として用いられ、カード発行機若しくは遊技機によって充電される２次電池と、を有し、
　常時は表示用電力を上記２次電池で賄い、該２次電池で表示用電力を賄えない場合は、上記タイマ・カレンダ手段の電源に用いる１次電池を非常用電源として表示用電力を賄うとともに、
　上記有価価値の残量の表示を行う上記表示手段は、予め多段階的に設定された複数の残量範囲指標に対応させた複数の残量範囲指標領域を備え、上記有価価値の残量に対応する残量範囲指標領域を能動化することで残量目安を可視表示するようにしたことを特徴とする有価価値記憶媒体。」
　
２．引用例に記載の発明　
　当審は、平成１８年７月６日付の拒絶理由で、本願発明は、下記の第１乃至６引用例に記載された発明に基づいて当業者が容易に発明をすることができたものであるから、特許法第２９条第２項の規定により特許を受けることができない旨通知した。
　第１引用例：特開昭６２−２５１１９４号公報
　第２引用例：特開平４−７１５８３号公報
　第３引用例：特開昭６１−１６０１８５号公報
　第４引用例：特開平３−８７９８８号公報
　第５引用例：特開昭５５−７７０９０号公報
　第６引用例：特開昭６１−３４６８６号公報
　　　
（１）第１引用例に記載の発明
　ｉ．第１引用例〔特開昭６２−２５１１９４号公報〕には、以下の事項が記載されている。
　「カード状基体中にＩＣを設けたＩＣカードにおいて、内部電源として化学電池と太陽電池を設け、化学電池の出力電力を前記ＩＣのうち常時電力供給を受ける必要のある第１の回路群にのみ供給し、太陽電池の出力電力を前記ＩＣのうち第１の回路群を除いた第２の回路群に少なくとも供給する構成としたことを特徴とするＩＣカード。」（第１頁左下欄第５〜１１行）、
　「第１図において、外部電源接続端子１１，１２は第２図における接点端子３の一部であり、ＩＣカードが外部装置に接続されたときに外部電源からの電力供給を受けるための端子である。外部電源の電圧は例えば５Ｖである。第１図におけるＩＣチップ２は、外部装置とＩＣカードと間のデータ信号の授受を行なうための入出力インターフェース１３，演算機能とＩＣカード内の他の機能回路を制御する機能を持つＣＰＵ１４，情報蓄積のためのメモリ１５，キーボード４を走査するためのエンコーダ１６，液晶表示器５を駆動するための表示ドライバ１７，揮発性メモリ１８および時計回路１９にそれぞれ相当する。時計回路１９には水晶振動子２０が接続されている。」（第２頁右下欄第１２行〜第３頁左上欄第５行）、
　「一方、ＩＣカードを外部装置に接続しない状態において電力供給を受ける必要のある機能回路の中でも、特に常時連続して電力供給を受けないと機能を維持できない第１の回路群に属する揮発性メモリ１８および時計回路１９は、ダイオード２４を介して化学電池６に接続されている。化学電池６は本実施例では二次電池であり、その充電のためにダイオード２４と並列に設けられた抵抗２５およびダイオード２３を介して、ダイオード２１と２２との接続点に接続されている。なお、この化学電池６は例えばＮｉＣｄ蓄電池を３段直列接続して３．６Ｖの起電力を持つものとし、この化学電池６から電力供給を受ける揮発性メモリ１８および時計回路１９は、例えば３Ｖ程度の電源電圧で十分に動作できるものとする。上記構成において、ＩＣカードが外部装置に接続されたときには、全ての機能回路１３〜１９に外部電源からの電力が供給される。この場合、外部電源の電圧と化学電池６および太陽電池７の起電力との関係を上述のごとく選んでおけば、ダイオード２２，２４は逆バイアス状態となるため、太陽電池７および化学電池６の起電力はほとんど消費されない。また、二次電池である化学電池６はダイオード２１，２３および抵抗２５を介して外部電源から電力供給を受けることにより充電される。ＩＣカードが外部装置から取外され、かつ明所にあるときには、入出力インターフェース１３を除く全ての機能回路１４〜１９に太陽電池７からの電力が供給される。この場合、化学電池６と太陽電池７の起電力の関係を上述のごとく選んでおけば、ダイオード２４は逆バイアス状態であるため、化学電池６の起電力はほとんど消費されず、また太陽電池７からダイオード２２，２３および抵抗２５を介して化学電池６に電力が供給されることにより、化学電池６の充電がなされる。次に、ＩＣカードが外部装置から取外され、しかも暗所に保管されているときには、揮発性メモリ１８および時計回路１９のみが化学電池６から電力の供給を受ける。従って、揮発性メモリ１８の内容が保存され、時計回路１９の動作も維持される。なお、本発明は上記した実施例に限定されるものではなく、例えば化学電池６としては一次電池を使用してもよい。その場合には勿論、外部電源あるいは太陽電池７から化学電池への充電経路は不要となる。また、太陽電池７の起電力を入出力インターフェース１３を除く全ての機能回路１４〜１９の電源として使用したが、揮発性メモリ１８および時計回路１９の電源としては使用しないようにしてもよい。」（第３頁右上欄第１３行〜第４頁左上欄第３行）。
　　　
　ii．上記の摘記事項及び図面によれば、第１引用例には、以下の発明（以下、「引用発明１」という。）が記載されているものと認められる。
　「常時電力供給を受ける必要のある揮発性メモリ１８及び時計回路１９からなる第１の回路群の電源として使用される化学電池による一次電池と、
　常時電力供給を受ける必要のない、液晶表示器５を駆動するための表示ドライバ１７、キーボード４を操作するためのエンコーダ１６及びＣＰＵ１４からなる第２の回路群の電源として使用される外部電源あるいは太陽電池７とを有するＩＣカード。」
　　　　　　
（２）第２引用例に記載の発明
　ｉ．第２引用例〔特開平４−７１５８３号公報〕には、以下の事項が記載されている。
　「第７図は、パチンコカード２１を示す正面図である。パチンコカード２１は、ほぼ長方形のプレート状のもので構成されており、磁気ストライプ等からなる磁気記録部９０に、遊技店コード、カ−ド発行年月日、カードＮｏ．、残額、持点、機種コード、セキュリティコード等の情報が記録されている。遊技店コードとは、このパチンコカード２１が発行された遊技店を識別するためのコードであり、このパチンコカード２１を他の遊技店で使用した際にはこの遊技店コードが食違ってくるためにその使用が禁止される。カード発行年月日はパチンコカード２１がカード販売機２（第１図参照）によって発行された年月日であり、使用期限を設ける場合にはこのカード発行年月日を基準として使用期限が経過しているか否かの判断が行なわれる。カード番号は、このパチンコカード２１に割振られた番号であり、他のパチンコカードとの区別が可能となる。残額は、パチンコカードの購入時の金額から遊技に使用して引落された金額を減算した残りの金額であり、未だに遊技に使用されていない未使用金額である。この残額により、記録媒体によって特定される有価価値のうち未だに遊技に引落使用されていない第１の有価価値が構成されている。持点とは、遊技機で遊技を行なった後精算ボタン３２を押圧操作したときの持点表示器３７で表示されている持点がその遊技機の機種コードとともに記録されたものである。この持点（制限使用得点）により、記録媒体によって特定される有価価値のうち、前記第１の有価価値以外の第２の有価価値が構成されている。セキュリティコードとは、パチンコカード２１のセキュリティを向上させるために設けられたものであり、たとえば、カード番号や残額の情報を所定の法則に基づいて変換したものを記録している。カード２１の記録情報のうち、前記残額、持点、セキュリティコードが必須の記録情報であり、他の記録情報は必ずしも必要ではない。本実施例では、記録媒体の一例として磁気カードを示したが、本発明はこれに限らず、ＩＣカード、磁気カードに感熱記録部を施したもの、磁気カードにアルミ被膜を蒸着したもの、感熱カード、光ディスクメモリにより情報を記録する光カード等、所定の有価価値が特定可能な情報が記録される記録媒体であれば何でもよい。さらに、形状は偏平な長方形のものに限らず、棒状等どのような形であってもよい。また、パチンコカード２１は０カードになれば使い捨てるものでもよく、また、０カードになれば、新たな有価価値を購入してそのカードに再記録するものでもよい。カード２１に記録するカード情報としては、前述した情報のほかに、そのカードの使用履歴を合せて記録してもよい。カードの使用履歴情報の具体例としては、たとえば、そのカードを使用した遊技機の機種や遊技機番号、遊技に使った有価価値の大きさ、遊技に伴って獲得した有価価値や大当りの発生回数、カードを使用した日時等が考えられる。このような使用履歴情報をカードに記録させる場合には、回収カードに記録されている使用履歴情報を読取る読取装置を遊技場に設置し、その読取装置で読取ったカードの使用履歴情報をホール管埋用コンピュータ６に送信してホール管理用コンピュータ６でカード１枚１枚の使用履歴を集計して遊技場全体の遊技機の稼働状態を算出するようにする。」（第８頁右下欄第１７行〜第９頁左下欄第２０行）
　　　
　ii．上記の摘記事項及び図面によれば、第２引用例には、以下の発明（以下、「引用発明２」という。）が記載されているものと認められる。
　「遊技店に設置された遊技機で使用可能な有価価値及び使用履歴を記憶保持するようにしたＩＣカード等の記録媒体。」
　　　　
（３）第３引用例に記載の発明
　ｉ．第３引用例〔特開昭６１−１６０１８５号公報〕には、以下の事項が記載されている。　
　「揮発性メモリＩＣを内蔵するＩＣカードにおいて、前記揮発性メモリＩＣに格納された情報を保持するためのメモリバツクアツプ用の１次電池と２次電池とを設け、これらの２個の電池のうちの最適な一方を機能させるためのスイツチング回路と、前記ＩＣカード使用時に前記２次電池へ電流を供給するための外部端子とを設けたことを特徴とする電池内蔵ＩＣカード。」（第１頁左下欄第５〜１２行）、
　「〔作用〕この発明においては、揮発性メモリへの給電を通常は２次電池により行い、２次電池の出力電圧が低下したときのみ１次電池により給電を行う。」（第２頁右上欄第１３〜１６行）、
　「（２）通常、バツクアツプ用として２次電池を使用し、２次電池の出力電圧低下時のみ１次電池を使用するため、１次電池の消費がきわめて遅くなり、半永久的なメモリカード機能が実現できる。」（第３頁右上欄第８〜１１行）。
　　　　
　ii．上記の摘記事項及び図面によれば、第３引用例には、以下の発明（以下、「引用発明３」という。）が記載されているものと認められる。
　「揮発性メモリＩＣに格納された情報を保持するためのメモリバックアップ用の１次電池と２次電池とを設け、通常は２次電池を使用し、該２次電池の出力電圧が低下したときのみ前記１次電池を使用するようにしたＩＣカード。」
　　　　　　
３．対比判断
（１）本願発明と引用発明１との対比
　本願発明と引用発明１（第１引用例〔特開昭６２−２５１１９４号公報〕に記載の発明）とを対比すると、引用発明１における「揮発性メモリ１８」、「化学電池による一次電池」、「時計回路１９」、「第１の回路群」、「液晶表示器５」、「表示ドライバ１７」、「ＩＣカード」は、それぞれ、本願発明における「情報を記憶する機能」、「１次電池」、「タイマ・カレンダ手段」、「記憶制御部」、「情報を可視表示する機能、表示手段」、「表示制御部」、「記憶媒体」に相当する。
　また、引用発明１における「太陽電池７」は、本願発明における「２次電池」と対比して、いずれも表示用電源として用いられる「電池」として共通する。
　そうすると、本願発明と引用発明１の両者は、以下の点でそれぞれ、一致ならびに相違するものと認められる。
　一致点
　「記憶媒体は、情報を記憶する機能と、１次電池を電源に用いて経時的情報を供給するタイマ・カレンダ手段と、を含む記憶制御部と、上記記憶制御部に記憶保持された情報を可視表示する機能を含む表示制御部と、を備え、
　上記表示制御部は、上記記憶制御部に記憶保持された情報を可視表示するための表示手段と、表示用電源として用いられる電池と、を有し、
　表示用電力を上記電池で賄う記憶媒体。」
　　　
　相違点Ａ．記憶媒体が、本願発明は、遊技店に設置された遊技機で使用可能な有価価値を記憶保持し、有価価値及び使用履歴を記憶する機能を有する構成であるのに対し、引用発明１は、該構成を備えていない点。
　相違点Ｂ．表示制御部が、本願発明は、可視表示する情報を切り換える人為的操作を行うための表示内容切換操作手段を有する構成であるのに対し、引用発明１が、該構成を備えていない点。
　相違点Ｃ．表示用電源として用いられる電池が、本願発明は、カード発行機若しくは遊技機によって充電される２次電池であるのに対し、引用発明１は、太陽電池による一次電池である点。
　相違点Ｄ．本願発明は、常時は表示用電力を２次電池で賄い、該２次電池で表示用電力を賄えない場合は、タイマ・カレンダ手段の電源に用いる１次電池を非常用電源として表示用電力を賄う構成であるのに対し、引用発明１は、該構成を備えていない点。
　相違点Ｅ．表示手段が、本願発明は、予め多段階的に設定された複数の残量範囲指標に対応させた複数の残量範囲指標領域を備え、上記有価価値の残量に対応する残量範囲指標領域を能動化することで残量目安を可視表示することにより有価価値の残量の表示を行う構成であるのに対し、引用発明１は、該構成を備えていない点。
　　　　
（２）相違点の検討
　i．相違点Ａについて
　引用発明２（第２引用例〔特開平４−７１５８３号公報〕に記載の発明）には、遊技店に設置された遊技機で使用可能な有価価値を記憶保持し、有価価値及び使用履歴を記憶するようにしたＩＣカード等の記録媒体が開示されており、引用発明１に示される記憶媒体の用途として、引用発明２を採用して、前記相違点Ａに係る本願発明のように構成することは、当業者が容易に想到できるものである。
　ii．相違点Ｂについて
　記憶制御部に記憶保持された情報を可視表示する機能を含む表示制御部を備えた記憶媒体において、可視表示する情報を切り換える人為的操作を行うための表示内容切換操作手段は、周知技術（例えば、第５引用例〔特開昭５５−７７０９０号公報〕、第６引用例〔特開昭６１−３４６８６号公報〕参照。以下、「周知技術Ｂ」という。）であり、また、引用発明１に示されるキーボード４が表示操作を含むキー入力手段として機能することは明らかであるから、引用発明１に示される表示制御部において、前記周知技術Ｂを採用して、前記相違点Ｂに係る本願発明のように構成することは、当業者が容易に想到できるものである。
　iii．相違点Ｃについて
　記憶媒体において、外部接続機器によって充電される２次電池を使用することは、周知技術（例えば、第３引用例〔特開昭６１−１６０１８５号公報〕、第５引用例〔特開昭５５−７７０９０号公報〕参照。以下、「周知技術Ｃ」という。）であり、また、引用発明１には外部電源を表示用電源として用いる技術についても示されているとともに、引用発明２に示されるように遊技用の記憶媒体は周知であるから、引用発明１に示される太陽電池による一次電池に代えて、前記周知技術Ｃを採用して、前記相違点Ｃに係る本願発明のように構成することは、当業者が容易に想到できるものである。
　iv．相違点Ｄについて
　引用発明３（第３引用例〔特開昭６１−１６０１８５号公報〕に記載の発明）には、通常は２次電池を使用し、該２次電池の出力電圧が低下したときのみ１次電池を使用するようにしたＩＣカードが開示されており、本願発明と同様に、１次電池を非常用電源として使用する技術思想が示されているから、引用発明１に示される、タイマ・カレンダ手段の電源に用いる１次電池について、前記引用発明３を適用し、前記１次電池を非常用電源として表示用電力を賄うようにして、前記相違点Ｄに係る本願発明のように構成することは、当業者が容易に想到できるものである。
　v．相違点Ｅについて
　残量表示を行う表示手段を備えた記憶媒体は、周知技術（例えば、特開平１−３００３８７号公報、特開昭６２−２９０９８９号公報〕参照。以下、「周知技術Ｅ」という。）であり、また、一般に表示の全領域を複数の範囲領域に区分して残量表示を行う手法には、現在の残量に対応する領域を含めてそれ以下の領域を全て能動表示する手法と、現在の残量に対応する領域のみを能動表示する手法とが、いずれも常套的手法（例えば、特開平２−１７６６９６号公報、特開平２−２４７５８８号公報〕参照。）とされているところからして、引用発明１に示される記憶媒体の表示手段において、前記周知技術Ｅに基づいて残量表示を行うとともに、その具体的な残量表示手法として、前記後者の常套的手法を採用して、相違点Ｅに係る本願発明のように構成することは、当業者が容易に想到できるものである。
　vi．作用効果について
　本願発明の作用効果は、引用発明１乃至引用発明３並びに前記周知技術に基づいて、当業者が容易に予測できるものである。
　　　　　
（３）まとめ
　したがって、本願発明は、引用発明１及び引用発明３並びに前記周知技術に基づいて、当業者が容易に発明をすることができたものであるから、特許法第２９条第２項の規定により特許を受けることができない。
　　　　　　
４．むすび
　以上のとおり、本願請求項１に係る発明は、第１引用例乃至第３引用例に記載の発明に基づいて当業者が容易に発明をすることができたものであるから、特許法第２９条第２項の規定により特許を受けることができない。
　したがって、他の請求項に係る発明について検討するまでもなく、本願は拒絶すべきものである。
　よって、結論のとおり審決する。